(57)【要約】【課題】利用者の指定により複数種のカードから任意の種類のカードを一枚のカードに纏めて発行することができると共に、複数種のカードを一枚のカードに統合する場合、統合されるカードの発行元に自動的に当該カードの無効通知等が行えるようにする。【解決手段】利用者のカードを用いて金融に関する取引を自動的に行うことができる自動取引装置において、当該装置で受付可能な異なる複数種類のカードに関する情報を予め登録しておく登録手段と、利用者より装置に挿入されたカードが受付可能か否かを該登録手段を参照して判定する手段と、受付けられた複数のカードから一枚のカードに統合すべき対象のカードを利用者に選択させるための選択手段と、一枚のカードに統合されたカードの機能を無効化するための無効化手段と、統合された１枚のカードを排出する手段とを有する。【選択図】  図１
2004206248.tif 000002
【特許請求の範囲】
【請求項１】
利用者のカードを用いて金融に関する取引を自動的に行うことができる自動取引装置において、当該装置で受付可能な異なる複数種類のカードに関する情報を予め登録しておく登録手段と、利用者より装置に挿入されたカードが受付可能か否かを該登録手段を参照して判定する手段と、受付けられた複数のカードから一枚のカードに統合すべき対象のカードを利用者に選択させるための選択手段と、一枚のカードに統合されたカードの機能を無効化するための無効化手段と、統合された新たなカードを排出する手段とを有するカード取扱装置。
【請求項２】
請求項１の装置において、更に、前記無効化手段によって無効化するカードを回収又は返却するかを利用者に選択させる為の選択手段と、回収するカードを収納する収納手段を有することを特徴とするカード取扱装置。
【請求項３】
請求項１又は２の装置において、更に、該無効化手段により無効化されたカードの発行元に該カードが無効処理された旨の情報を送信する手段を有することを特徴とするカード取扱装置。
【請求項４】
利用者のカードを用いて金融に関する取引を自動的に行うことができるカード取引装置において、当該装置で受付可能な異なる複数種類のカードに関する情報を予め登録しておく登録手段と、利用者より装置に挿入されるカードが受付可能か否かを該登録手段を参照して判定する手段と、受付けられた複数のカードから一枚のカードに統合すべき対象のカードを利用者に選択させるための第1の選択手段と、新規に発行すべきカードを収納する収納手段と、該第１の選択手段により選択された複数のカードの機能を一枚のカードに統合するに際して、該収納手段に収納された新規のカードに複数のカードの機能を統合するか、又は利用者が所持する既存のカードに、複数のカードの機能を統合するかを利用者に選択させるための第２の選択手段と、該第２の選択手段により選択されたカードに対して選択された複数のカードの機能を統合する統合処理手段と、統合処理されたカードを排出する手段とを有することを特徴とするカード取扱装置。
【請求項５】
請求項１又は４の装置において、更に、一枚のカードに統合された複数のカードの内容を利用者に確認させる確認手段を設けることを特徴とするカード取扱装置。
【請求項６】
請求項１又は２の装置において、該無効化手段により無効にした複数のカードの情報を記憶する記憶手段と、該記憶手段に記憶した無効化カードの情報を明細票に出力する旨の指定を行う手段とを有し、明細票に情報を出力した後、該記憶手段から無効化カード情報の記憶を消去することを特徴とするカード取扱装置。
【発明の詳細な説明】
【０００１】
【発明の属する技術分野】
本発明はカード取扱装置に係り、特に銀行等の現金自動取引装置（以下ＡＴＭと言う）において使用される銀行カード等を含む複数種のカードの取扱装置に関するものである。
【０００２】
【従来の技術】
銀行カードを用いてＡＴＭから現金の引き出しや預金の取引きをすることが日常行なわれている。また、１人の個人が複数の銀行のカードを所有したり、複数のクレジットカードを所有することも一般的になって来ている。そのためそれらのカードの管理が重要になる。
【０００３】
従来、複数種のカードの内容を一枚のカードに纏めて、そのカードを発行する技術として、例えば特許文献１（特開平６−１７６２５２号公報）に開示されているものがある。この技術はプリペイドカードの発行に好適なものであり、例えば電話、電車、バス等複数種のカードの内容をカードの種別毎に金額を合計した一枚のカードを発行するものである。これは、複数種のカードから統合したいカードの種別の１つを指定して、指定された種別のカードに関して、複数枚のカードの金額を合計して纏めている。従って、一枚に纏めるカードはあくまで同種のカードであり、一枚に纏める内容も金額、口座番号を対象にしている。
【０００４】
【特許文献１】
特開平０６−１７６２５２号公報  （第２、３頁）
【０００５】
【発明が解決しようとする課題】
上記公知例によれば、指定された同種のカードの範囲内でないと一枚に纏めることが出来ない。また、種種のカードを受付けて一枚のカードを発行するに際し、一枚に纏めることが出来ないカードまでも受付けてしまう。
また上記公知例には、受付けた種種のカードのうち制定されなかったカードをどのように無効するのか、また、カードの返却、回収の指定をどうするのか等についての配慮も記載されていない。
【０００６】
本発明の目的は、利用者の指定により複数種のカードから任意の種類のカードを一枚のカードに纏めて発行することができるカード取扱装置を提供することにある。
また、本発明の目的は、複数種のカードを一枚のカードに統合する場合、統合されるカードの発行元に自動的に当該カードの無効通知等が行えるカード取扱装置を提供することにある。
【０００７】
【課題を解決するための手段】
本発明は、利用者のカードを用いて金融に関する取引を自動的に行うことができる自動取引装置において、この装置で受付可能な異なる複数種類のカードに関する情報を予め登録しておく登録手段と、利用者より装置に挿入されたカードが受付可能か否かを登録手段を参照して判定する手段と、受付けられた複数のカードから一枚のカードに統合すべき対象のカードを利用者に選択させるための選択手段と、一枚のカードに統合されたカードの機能を無効化するための無効化手段と、統合された新たなカードを排出する手段とを有するように構成したカード取扱装置である。
前記判定手段による判定の結果、一枚のカードに統合できないと判定されたカードを利用者に返却する返却手段を設けることができる。また、前記無効化手段によって無効化するカードを回収又は返却するかを利用者に選択させる為の選択手段と、回収するカードを収納する収納手段とを設けることができる。また、この無効化手段により無効化されたカードの発行元にカードが無効処理された旨の情報を送信する手段を有しても良い。
【０００８】
本発明はまた、利用者のカードを用いて金融に関する取引を自動的に行うことができるカード取引装置において、この装置で受付可能な異なる複数種類のカードに関する情報を予め登録しておく登録手段と、利用者より装置に挿入されるカードが受付可能か否かを登録手段を参照して判定する手段と、受付けられた複数のカードから一枚のカードに統合すべき対象のカードを利用者に選択させるための第1の選択手段と、新規に発行すべきカードを収納する収納手段と、第１の選択手段により選択された複数のカードの機能を一枚のカードに統合するに際して、該収納手段に収納された新規のカードに複数のカードの機能を統合するか、又は利用者が所持する既存のカードに、複数のカードの機能を統合するかを利用者に選択させるための第２の選択手段と、第２の選択手段により選択されたカードに対して選択された複数のカードの機能を統合する統合処理手段と、統合処理されたカードを排出する手段を有して構成される。また、一枚のカードに統合された複数のカードの内容を利用者に確認させる確認手段を設けることもできる。
更に、上記無効化手段により無効にした複数のカードの情報を記憶する記憶手段と、この記憶手段に記憶した無効化カードの情報を明細票に出力する旨の指定を行う手段とを有し、明細票に情報を出力した後、記憶手段から無効化カード情報の記憶を消去することができる。
【０００９】
【発明の実施の形態】
以下、図面を参照しながら本発明の一実施例について説明する。
図１は、本発明の一実施例によるＡＴＭにおける複数種カードの統合処理の概念を示す図である。この例では、複数種のカードの機能を一枚のカードに纏め、発行する機能をＡＴＭに適用した例について説明するものである。
銀行系カード１０１，１０２やクレジットカード１０３、他の取引に用いるＩＣカード１０４や他のカード１０５など複数枚からなる種種のカード（以下、単に種種カードと言う。）１０１〜１０５を自動取引装置１００が受付け、これらカードの機能を統合して作成した一枚の新規カード１０６を発行する。或いは、その利用者が既に一枚に統合したカード１０７を持っている場合には、種種カード１０１〜１０５の内容をカード１０７に新たに追加して統合するものである。ここで、ＡＴＭ１に受け入れられた種種カードはその適否が判断され、統合処理後の種種カードは無効処理され、回収または利用者に返却され、最終的に一枚の統合カード１０６，１０７が発行される。
【００１０】
図２は、ＡＴＭの構成を示す図である。ＡＴＭ２０１は、利用者が操作する操作入力部２０３、利用者の取引き操作の案内をするための表示を行う表示部２０４、取引結果を印字し、利用者へ明細票を放出する明細票印字部２０５、種種のカードを受付ける媒体入力部２０６、新規のカードを発行するために新規のカードを収納しておくカード収納部２０８、ホストコンピュータ等の上位装置と回線２１０を介して通信制御する接続部２０７、種種のカード情報、受付けカード情報、各処理を行うプログラム等を記憶する記憶部２０９、装置全体を制御する制御部２０２を備えて構成される。ここで、操作入力部２０３と表示部２０４は、例えば公知の液晶表示器とタッチパネル式の入力器を併せて構成したものが使用される。媒体入力部２０６から受入れられる、図１に示すような種種カード101〜105は、搬送機構にて搬送されてカード読取り記録部（図示せず）へ送られ、読取り記録処理される。媒体入力部２０６の出入口にはセンサ（図示せず）が設けられ、カードの挿入、排出を検知する。読取り記録部の後方奥には、挿入されたカードを一時的に退避するための退避機構（図示せず）が設けられている。この退避機構は例えば搬送機構上から分岐された搬送路であれば良い。また搬送路の後方には、無効処理したカードを収納する廃棄ボックス（図示せず）が設けられる。尚、前述のカード収納部２０８は独自の搬送路と排出口を設けず、旧カードが搬送される上記の搬送路に接続して、新規のカードを媒体入力部２０６に排出されるように構成してもよい。
【００１１】
図３は、上位装置３０１の構成を示す。ホストコンピュータのような上位装置３０１は、回線２１０を介してＡＴＭ２１０と通信を行う通信制御部３０３、他の上位装置との通信を制御する他上位通信制御３０５、種種カードの取扱いに関する情報を記憶している記憶部３０４、上位装置３０１全体を制御している制御部３０２から構成される。
記憶部３０４は、種種カードの発行に関する取扱い情報を記憶するほか、ＡＴＭによる現金の取引きに関する色々な情報を口座番号毎に記憶している。
【００１２】
図４は、ＡＴＭ２０１の表示部２０４における利用者への取引き案内を行う取引画面４００例を示す。取引画面には、通常の現金取引を行うためのキーである引出しキー４０４や預入れキー４０１の他に、一枚カード作成キー４０２、カード内容照会キー４０３を備える。一枚カード作成キー４０２は、利用者に対して種種のカードを一枚のカードに纏めて作成する旨の取引を示すものであり、利用者はこの一枚カード作成キー４０２を操作入力部２０３にて操作することでその取引き処理を進めることができる。又、カード内容照会キー４０３は利用者が所有する一枚のカード毎の内容を照会したい場合に操作される。
【００１３】
図５は、表示部２０４に表示される取引画面のうち、種種カードの取扱いに関する画面の表示例を示す。利用者が図４の一枚カード作成キー４０２を操作すると、表示画面は（Ａ）に示すような種種カード受付画面５００に変る。種種カード挿入表示５０１には例えば種種カードを挿入するアニメーションが表示される。利用者はこの案内画面に従い、持参した種種のカードを媒体入力部２０６に挿入する。この操作を取消したい場合は取消キー５０８を操作することで、取引きが取消しできる。
【００１４】
図５（Ｂ）は、種種のカードを媒体入力部２０６に挿入させた後、２枚目以降のカードがあるかの確認する次カード有り確認画面５１０を示す。種種のカードで更に次ぎカードがある場合は次カード有りキー５１３が操作される。全ての種種カードが媒体入力部２０６に挿入された場合には終了キー５１２が操作される。取消す場合は取消キ５１１を操作する。
【００１５】
図６は、ＡＴＭが種種のカードを受付けた後、利用者に一枚にするカード内容を表示部２０４に表示する種種受付けカード確認画面６００を示す。この画面には受付された種種カードの種類、カード情報、発行元、その他の情報、及び取消指定の項目が設けられた一覧表が表示される。
利用者は種種のカード内容を確認し、次ぎのカードのデータ（この例では受付ＮＯ.６以降のカード）を見たい場合は次データキー６０３を操作することで、次のカードのデータがＡＴＭ２０１の記憶部２０９から読み出されて表示部２０４に表示される。利用者は画面に表示された内容を確認して、問題無ければ確認キー６０２を操作する。この確認により以後、一枚のカードに統合するためのデータ処理が行われることになる。
一方、種種のカードの内、特定のカードのみを一枚のカードに統合しない場合は、表示画面６００の当該カードに対応するカラム部分６０４を操作することで、除外取消の指定ができる。除外取消の指定、更には一枚カードへ統合することの全体操作を取消したい場合は取消しキー６０１を操作する。
【００１６】
図７は、取引表示画面における旧カードの処置選択画面を示す図である。
旧カード処置選択画面７００は、種種カードを統合して一枚のカードを作成した場合、受付けた旧カードを回収するか、それとも返却するか？について利用者に選択させるための案内画面である。旧カードを全て回収する場合は回収キー７０２を操作する。旧カードをすべて返却する場合は返却キー７０３を操作する。旧カードの一部を返却する場合は一部返却キー７０４を操作する。一部返却については図８を参照して後述する。取消の場合は取消キー７０１を操作する。
【００１７】
図８は、取引表示画面における旧カード一部返却確認画面を示す図である。
この旧カード一部返却確認画面８００は、図７に示す旧カードの処置で一部のカードを返却したい場合に、一部返却キー７０４を操作したときに表示され、一部返却する旧カードを選択するものである。利用者は返却したい旧カードを選択し、選択画面に表示された種種カードのうち、返却対象とするカードのカラム８０４を指定して操作する。その指定は操作入力部２０３から制御部２０２に検知され、返却対象とするカードは特定されて、その旨が記憶部２０９に記憶される。次データを見る場合は次データキー８０３を操作する。取消の場合は取消しキー８０１を操作する。
【００１８】
図９は、取引表示画面におけるカード発行選択画面を示す図である。
（Ａ）に示すカード発行選択画面９００は、一枚のカードに統合する場合、新規にカードを発行するか？それとも利用者が持参しているカードに追加登録するか？を選択する為の画面である。新規にカードを発行する場合には新規発行キー９０２を操作する。利用者が持参しているカードに、他の種種カードの機能を追加登録する場合は旧カード追加登録キー９０３を操作する。これらのキー９０２，９０３が操作されると、その旨が記憶部２０９に記憶される。取消しの場合は取消しキー９０１を操作する。
【００１９】
図９（Ｂ）は、一枚のカードに統合してその一枚のカードを作成している場合の表示部２０４に表示されるカード発行処理中画面９１０である。矢印マーク９１２、９１１は作成の進捗状況を矢印で表したものであり、マーク９１１まで変色するとカードが完成して放出されてくる。
【００２０】
図９（Ｃ）は、利用者が所持している一枚カードに追加して登録する場合、挿入済みのカードに追加登録するか？それともこれから挿入するカードに追加登録するか？を利用者に選択させる追加登録カード挿入または選択画面９２０である。既存のカードに追加登録する旨の指示表示９２２は、追加登録するカードを利用者が所持している場合、この画面が表示されている時に媒体入力部２０６よりそのカードを挿入させることを明示する部分である。既に挿入済みカードに追加登録する場合は挿入済みカード選択キー９２３を操作することで、画面に表示される挿入済みカードから対象とするカードを選択させるようにする。これについては後述する。取消しする場合は取消しキー９２１を操作する。
【００２１】
図９（Ｄ）は、挿入済みカードに他の種種カードの機能を統合して追加登録する場合の表示画面である。（Ｄ）の画面において、挿入済みカード選択キー９２３が操作された場合に、挿入済カード選択画面９３０が表示される。利用者は画面に表示されているカード一覧表の挿入済みカードの中から一枚に集約すべき目的とするカードを選択する。これは対象とするカードのカラム部分９３４をタッチ操作することでそのカードが選択され、そのカードに他の種種カードの機能、情報が統合されて追加的に記録される。種種カードの情報が既存の１つのカードに統合された旨は記憶部２０９に記憶される。次データを表示する場合は次データキー９３３を操作する。選択後確認した場合は確認キー９３２を操作すると、その指定したカードに追加登録することになる。取消しする場合は取消キー９３１を操作する。
【００２２】
図１０は、取引表示画面の一枚カード内容確認画面を示す図であり、（Ａ）に示す一枚カード内容確認画面1000は、一枚のカードに統合されている種種カードの内容を示す。利用者が一枚のカードに登録されている内容を見たいときに、図４のカード内容照会キー４０３を操作した場合に、一枚カードの内容が表示される。通常ＡＴＭの媒体入力部２０６に、統合後の一枚カードが挿入されると、カード読取り記録部でカードの記録部に記録された情報が読み取られる。読み取られたカード情報は一時的にＡＴＭの記憶部２０９に格納される。記憶部２０９に記憶された一枚カードの情報が読み出されて、（Ａ）に示すように画面に表示されるのである。
画面の表示例では種種カード５枚相当の情報しか見えない。ＮＯ.６以降のカードに対応する登録内容を見たいときは、次データキー1003を操作することで、次のデータが記憶部２０９から読み出されて表示される。登録内容の確認が出来た場合、利用者は確認キー１００２を操作する。取消す場合は取消キー１００１を操作する。一枚のカードに登録されている種種カードの内容の内からあるカードに対応するデータを削除したい場合には、該当するカード情報部分1004をタッチして指定することで、そのカード情報は一枚カードから削除される。これは例えば一枚カードの該当するカード情報部分1004に「削除」のフラグが付与されて、記憶部２０９に記憶され、一連の取引操作が終了したとき、記憶部２０９に記憶された内容が一枚カードの記録部に更新記録されることにより、有効（即ち当該カード部分が削除された）として処理される。
【００２３】
図１０（Ｂ）は、一枚のカード内容照会取引で一枚のカードを挿入する旨の案内をする一枚カード受付け画面１０１０を示す。カード挿入の表示1011には例えばカード挿入の状況を表すアニメーションが表示される。取消しする場合には、取消しキーを操作する。
【００２４】
図１１は、一枚のカードを作成した場合の明細票の印字例を示す。明細票1100には一枚のカードに統合した種種カードの内容が印字される。
明細票の印字は次のように行われる。種種カードの統合に関する一連の取引きの終了処理に際して、記憶部２０９に記憶されている統合後の当該一枚カードの記憶情報が読み出されて当該カードの記録部に記録される。また、その情報は明細票印字部２０５に送られ、明細票に印字されるのである。
【００２５】
図１２は、一枚カードに統合することが可能な対象となる種種カードの種類を登録する記録部２０９における登録テーブル1200の記憶フォーマットを示す図である。
ＡＴＭ２０１の媒体入力部２０６から挿入されるカードは色々あるが、その中には統合が困難なものもある。そこで一枚カードに統合が可能な対象となる種種カードの対象をテーブルとして記憶部２０９に記憶している。登録テーブル1200は、カードの種類、発行元の情報、支店の情報、及びカード通知先の情報を含む。カードの通知先情報とは、当該カードを無効にした場合などに、通知する先であり、本例の場合には例えばメールアドレスが記憶されている。
あるカードが媒体挿入部２０６から挿入されて、読取り記録部でカードの記録情報が読まれる。その読まれたカードの情報は、制御部２０２にて登録テーブルの内容と逐次比較される。
テーブルの登録情報と、あるカードの記録情報が一致する場合には一枚のカードに統合できると判断する。反対に不一致の場合には統合が不可である。又、種種カードを一枚のカードに統合した場合、旧カードの発行元に通知する必要があるが、本例によれば、カードの通知先情報1201に従って発行元に自動的に電子メールにて通知される。メールの送信はＡＴＭから直接行っても良いが、好ましくは上位装置３０１にこの登録テーブル1200と同じテーブルを保持しておき、カード統合後の情報を一旦上位装置３０１に送信して、上位装置から該当する通知先にメール送信するようにして良い。
尚、通知が不要な場合は、「不要」1202が登録されているので、通知されない。
【００２６】
図１３は、カードを無効にする旨の通知電文のフォーマットを示す図である。カード無効発行通知電文種別、カード種類、カード情報、カード発行元、新規カードの発行ＮＯ，カード通知先情報（Ｅメールアドレスなど）の情報項目により構成される。カード発行元にカードの無効を通知する場合、無効にする旨の指令がＡＴＭ２０１の制御部２０２で作成され、接続部２０７より回線２１０を介して、上位装置３０１に通知される。上位装置３１０の制御部３０２では無効にすべきカードを判定し、そのカードの発行元へ無効を通知するために、この電文１３００を作成する。その電文１３００は上位装置３０１の他上位通信制御部３０５を介してカード発行元のコンピュータ（上位装置など）へ送信される。
【００２７】
図１４は、無効にしたカードの明細票の印字例を示す図である。
明細票1400は、種種のカードを一枚のカードに統合したとき、無効としたカードの情報を係員等の指示により印字部２０５で印字して、作成されるものである。これにより係員は一枚カード発行によるトラブル調査、事務効率の向上が図れる。
【００２８】
図１５は一枚カード作成のための処理フローチャートを示す図である。
この処理はＡＴＭ２０１の制御部３０２で行われる、一枚のカードを作成するためのカード作成処理動作である。
利用者はＡＴＭ２０１の取引表示画面から取引の選択を行う（１５０１）。取引選択画面４００で一枚カード作成キー４０２の操作を検知した場合、種種のカードを受付る処理に移る（１５０２）。図５に示す案内画面に従って利用者は種種カードを媒体入力部２０６に挿入する。挿入されたカードは順次搬送されて、読取り記録部に送られる。種種カードの受付けをすると、ＡＴＭは利用者を確認するための処理を行う（１５０３）。この処理は例えば制御部２０２において、利用者より入力された暗証番号とカードの記録部に記憶した番号とを照合することにより行う。
統合すべき種種カードが全てＡＴＭに挿入され、カード毎の記録情報が判別されると、それらの情報は整理され、図６に示すような一覧表で表示される。そして図７に示す画面に従い、旧カードの処置を選択する処理が行われる（１５０４）。その処理で旧カードの回収、返却が選択され得る。次に一枚のカードに統合する方法を選択処理する（１５０５）。この処理において、新規の一枚カードを発行するか又は既存のカードに追加登録するかが選択される。その選択により新規カード又は追加登録されるべきカードに統合される種種カードの内容情報が記録され、新規カードの場合には一枚の新規カードが作成される。一方、既存のカードに集約する場合には、種種カードの内容がその既存カードに追加登録される（１５０６）。
次に旧カードの無効にすると同時に、旧カードの発行元への通知が必要な場合には、旧カードの発行元へカード無効にする旨の指令がＡＴＭから上位装置に発信される。また、一枚カード発行を通知する無効発行通知処理を行う（１５０７）。上位装置３０１では、ＡＴＭからカード無効の通知を受けて、当該カードの無効通知、及び一枚カードの発行通知の処理を行う（１５１０）。次に種種のカードを受付けしたカードの回収または利用者が返却指定したカードを返却するカード回収／返却処理を「実行する（１５０８）。
一枚のカードに統合した場合、統合した新規のカードはＡＴＭ２０１の媒体入力部２０６より排出される。また、一枚のカードに統合された種種カードの内容が明細票印字部２０５で明細票（図１１）に印字されて排出される。利用者は排出された新規カード及び明細票を受取り（１５０９）、一連の処理を終わる。
尚、上記した各ステップの詳細について図１６から図４０を参照して後述する。
【００２９】
図１６は、ＡＴＭにおける一枚カード作成取引又は一枚カード内容照会取引の取引選択を行う取引選択処理フローチャート（図１５の取引選択処理１５０１の詳細）を示す図である。
ＡＴＭの取引選択画面（図４）が表示部２０４に表示されている状態（１６０１）において、利用者は案内に従い、取引したい取引キー４０１〜４０４の操作を行う。ＡＴＭの制御部３０２が一枚カード作成キー４０２の操作を検知した場合（１６０４）は、一枚カード作成を記憶部２０９に記憶する（１６０５）。また制御部３０２がカード内容照会キー４０３の操作を検知（１６０６）した場合には、カード内容照会を記憶部２０９に記憶（１６０７）する。また、その他キー４０１，４０４の操作を検知（１６０８）した場合はそのキー情報を記憶（ステップ１６０９）する。
【００３０】
図１７は、一枚カード作成取引処理における、種種カード受付け処理（図１５のステップ１５０２の詳細）処理フローチャートを示す図である。
一枚カードの作成が選択されると、種種のカードを受付ける為の利用者へ種種カードを媒体入力部２０６に挿入させる旨の表示を表示部２０４に表示する種種カード受付け画面（図５）が表示される（１７００）。ＡＴＭは利用者のカード挿入を待つ状態にある。種種カードが媒体入力部２０６に挿入され、それらの挿入が検知されると（１７０１）、搬送機構はカードを吸入し（１７０３）、読取り記録部（図示せず）に送る。そこでカードの記録情報を読取り（１７０４）、読取られた情報はＡＴＭ２０１の記憶部２０９に記憶される。カードが挿入されず、取消キーの押下げを検知すると（１７０２）、取引を取消して終了する。
読取られたカード情報に基づき、そのカードがこのＡＴＭに受付けが可能か？の確認判断が行われる（１７０５）。この確認処理は、記憶部２０９に予め記憶している取引可能な種種受付けカード情報（図１２）と、読取られたカード情報とを比較チェックすることにより行われる。比較の結果一致している場合は受付け可能と判断し（１７０５）、そのカードは受け付けられる。一方、不一致の場合には、受付け不可能と判断され、そのカードは返却される（１７１１）。
確認の結果、受付けられたカードは読み取り読取り記録部の後方に一旦待避される（１７０６）。そして次カードが有るか否かの確認画面（図５（Ｂ））を表示し（１７０７）、利用者から次のカードの挿入を待つ。利用者は次ぎのカードが無い場合は終了キー５１２を操作し、制御部２０２は終了キーの操作を検知すると（１７０８）、受付した種種カードの情報を記憶部２０９に記憶し（１７１０）、受け付けを終了する。一方、次ぎのカードが有る場合は、次カード有りキー５１３が操作されるので、その操作が検知されると（１７０９）、種種カード受付け画面表示（１７００）に移行し、次ぎカードの挿入を待つ。取消キー５１１の操作を検知した場合には（１７１２）、取引きを取消して、終了する。
【００３１】
図１８は、一枚カード作成取引処理における、種種受付カード確認処理（図１５のステップ１５０３の詳細）のフローチャートを示す図である。種種カードを受付けした後、受付けカードの内容を確認する処理である。
受付けられた種種カードの確認に際しては、種種受付けカード確認画面（図６）が表示部２０４に表示される（１７１５）。受付けられたカード情報が表示部２０４の画面に順次表示される（１７１６）。そして利用者の確認結果の操作を待つ。確認キー６０２の操作を検知した場合は（１７１７）、一枚のカードに統合するカード情報を記憶部２０９に記憶（１７２４）する。種種受付けしたカードで一枚化したく無いカードがある場合、利用者はそのカード情報６０４の部分（図６）をタッチして操作する。制御部２０２がその操作を検知した場合（１７１８）、そのカード取消状態が取消しか否かを判断し（１７２０）、取消でない場合は取消状態を取消表示６０４とする（１７２２）。一方、そのカードの取消状態が取消の場合は、一枚に統合するための表示とし（１７２３）、次ぎの指定待ちとする。種種カード情報の次ぎデータを表示する場合は次データキー６０３が操作される。その操作が検知された場合には（１７１９）、次の種種受付けカード情報を表示するためのステップ（１７１６）へ移行する。取消キー６０１の操作を検知した場合には（１７２１）、取引を取消して、終了する。
【００３２】
図１９は、一枚カード作成取引処理における、旧カード処置選択処理（図１５ステップ１５０４）の詳細処理フローチャートを示す図である。
この場合、旧カード処置を利用者に選択させる旨の旧カード処置選択画面（図７）が表示部２０４に表示される（１８００）。そして利用者の選択操作を待つ。旧カードを全部回収する場合は回収キー７０２が操作されるが、制御部２０２がこの回収キー７０２の操作を検知した場合（１８０３）、全部の受付けカードを回収する旨を記憶部２０９に記憶する（１８０６）。全部の受付けカードを返却する場合は返却キー７０３が操作されるが、このキー７０３の操作を検知すると（１８０２）、全部の受付けカード返却する旨を記憶する（１８０４）。
利用者が一部のカードについて返却を望む場合は、一部返却キー７０４を操作するが、このキー７０４を検知すると（１８０１）、旧カードの一部を返却するための確認画面（図８）を表示し（１８０７）、種種受付けカード情報を画面に表示し（１８０８）、利用者の選択操作を待つ。利用者は画面８００の表示から、返却して欲しいカードの情報部分８０４を選択してタッチ操作する。その操作部分を制御部２０２が検知すると（１８１０）、カードの返却状態が返却でないと判断した場合（１８１３）、返却状態を返却と表示する（１８１４）。また、返却状態が返却と判断した場合（１８１３）、カードの返却状態を回収として表示する（１８１６）。この指定により利用者が確認キー８０２の操作したことを検知した場合（１８０９）、種種カードの返却状態を記憶部２０９に記憶（１８１５）し、一部のカードの返却を選択することが出きる。取消キー７０１，８０１の操作を検知した場合（１８０５，１８１２）には、取引を取消し、終了する。
【００３３】
図２０は、一枚カード作成取引処理における、一枚にするカード発行選択処理（図１５のステップ１５０５）の詳細な処理フローチャートを示す図である。
この場合、カード発行選択画面（図９）が表示部２０４に表示される（１９０１）。そして利用者の選択操作を待つ。一枚のカードに集約するに際して、新規カードを作成する場合には、新規カードの発行キー９０２が操作されるが、このキー９０２を検知すると（１９０４）、新規カードが発行される旨が記憶部２０９に記憶される（１９０５）。既に発行済みの旧カードに統合される内容を追加して登録する場合、旧カード追加登録キー９０３が操作されるが、このキー９０３を検知すると（１９０６）、旧カードに追加登録した旨が記憶部２０９に記憶される（１９０７）。そして追加されたカード発行の選択が行なわれる。取消キー９０１の操作を検知した場合には（１９０８）、取引を取消して終了する。
【００３４】
図２１は、一枚カード作成取引処理における、新規作成／追加登録処理（図１５のステップ１５０６）の詳細処理フローチャート、特に新規カードの作成処理動作のフローチャートを示すものである。
新規カードの発行中である旨を利用者に知らせるカード発行処理中画面（図９（Ｂ））を表示し（２００１）、カード発行選択（図２０）で新規カードの発行を指定した場合と判断した場合（２００２）、種種カードの一枚統合化するカードの情報を含めて一枚カードを作成する（２００３）。作成した一枚のカード情報は明細票に印字される（２００４）。また統合される種種カードの情報は新規カードに記録され、新規カードの作成が行なわれる。既存のカードに追加登録する旨が判定されると（２００２）、図２２のフローチャートの動作へ移行する。
【００３５】
図２２は、新規カードの作成処理フローチャートにおける、図２１から移行した追加登録カードの作成処理動作を示す図である。
追加登録カード挿入または挿入済みカードを選択するかの案内画面（図９（Ｃ））を表示する（２１０１）。そして利用者からの追加登録カードの挿入か選択キーの操作を待つ。追加登録用のカードが媒体入力部２０６に挿入されたこと検知すると（２１０２）、搬送機構はこのカードを吸入し（２１０４）、読取り記録部でこのカードの記録情報を読取る（２１０６）。そして挿入されたカードに一枚にするカード情報を追加登録する（２１０７）。また、挿入済みカードに追加登録する場合は、挿入済みカード選択キーの操作を検知し（２１０３）、受付けしている一枚化するカードから一枚化できるカードを選択する旨の案内画面９３０（図９（Ｄ））を表示し、利用者の選択操作を待つ。追加登録するカードが選択されたことを検知すると（２１０８）、指定されたカードを待避位置（図示せず）から読取り記録部へ搬送し（２１１０）、統合すべき種種カードの情報を、指定されたこのカードに追加登録する（２１０７）。次データキーが操作されたことを検知すると（２１１１）、受付けカード情報の次ぎデータを表示する（２１０５）。選択の訂正を行う場合、訂正キーが操作されるが、この操作が検知されると（２１０９）、追加登録するカードの選択（２１０１）へ移行する。取消する場合、取消キーの操作を検知し（２１１２）、取消しする。追加登録した結果は明細票に印字され（２１１３）、追加登録処理を終了する。
【００３６】
図２３は、一枚カード作成取引処理における、無効発行通知処理（図１５のステップ１５０７、１５１０）の詳細処理フローチャートを示す図である。
一枚化した旧カードを無効とし（２２００）、旧カードの発行元への通知が記憶部２０９に記憶している種種受付カード情報（図１２）の旧カード情報と一致する部分のカード通知先情報１２０１が通知先情報有りの場合、通知必要と判断し、通知先情報が無い１２０２場合は通知不要と判断（２２０１）する。通知必要と判断した場合、旧カードの発行元へ無効通知（図１３）を上位装置３０１へ通知（２２０２）する。上位装置３０１は更に発行元で通知処理（２２０５）し自動取引装置２０１へ回答する。この処理をカード一枚毎に繰り返し行い、一枚化した旧カードに対し処理した場合（２２０３）、一枚化したカード発行通知を上位装置３０１に通知（２２０４）し、上位装置３０１は新カードの発行を関連に通知処理する（２２０６）。無効カードにした情報を記憶部２０９に記憶（２２０７）し無効発行通知処理を終了する。
【００３７】
図２４は、一枚カード作成取引処理における、カード回収／返却処理（図１５のステップ１５０８）の詳細処理フローチャートを示す図である。
旧カードの利用者は返却すべきカードの指定をすることができる。その指定した返却すべきカードが判定されると（２３０１）、旧カードが返却され、利用者はそれを受取る（２３０２）。旧カードの回収が指定されると、旧カードがＡＴＭ内に回収される（２３０５）。旧カードの回収は、例えばカードの搬送路の後方に設置された回収用のボックスに収納されることにより行われる。この回収処理は、ＡＴＭに挿入されたカード全てに対して行われ（２３０３）、一連の処理を終了する。
【００３８】
図２５は、一枚カード作成取引処理における、新規カードの受取り、明細票の受取り処理（図１５のステップ１５０９）の詳細処理フローチャートを示す図である。
この場合新カード受取り画面（図９（Ｅ））が表示される（２４０１）。統合された新規カードが放出されると共に、一枚カード化に関する内容が印字された明細票が放出される（２４０２）。利用者は排出された新規カードを受け取る。この時、カードの出口に備えられたセンサが、新規カードの受け取り（抜き取り）を検知すると（２４０３）、一連の処理を終了する。
以上、一枚カード作成取引処理に関する一連の処理動作を説明した。
【００３９】
次に、一枚カードの照会処理動作について説明する。
【００４０】
図２６は、一枚カードの照会処理フローチャートを示す図である。この照会とは、統合された一枚カードに含まれる種種カードの内容が何であるかを照会して知らせるための処理である。
ＡＴＭの表示部２０４に取引選択画面が表示されている状態で、利用者はカード内容照会を行う旨の指定ができる（１５０１）。利用者がカード内容の照会を指定すると、照会の処理が開始される。そして照会の対象となるカードの受付けを行う（３００２）。一枚カードの記録情報は、読取り記録部で読取られ、その読取られた内容は表示画面（図１０）に表示される（３００３）。利用者は、その表示画面を見て内容確認を行う。その際、削除指定があると（３００４）、一枚のカード内容から指定されたカードの情報が削除の処理が行われる（３００５）。そして上位装置に対して、削除した旨が通知され、無効処理される（１５１０）。無効処理された後、ＡＴＭの外に当該カード、及び内容印字された明細票が排出される。利用者はこれらを受取って（１５０９）、一連の処理を終わる。
【００４１】
図２７は、図２６に示した一枚カード照会処理における、一枚カード受付け処理動作（ステップ３００２）の詳細な処理を示すフローチャートである。
この場合、表示画面には一枚カード受付け画面（図１０（Ｂ））が表示され（３１００）、利用者からのカード挿入を待つ状態にある。媒体入力部２０６にカードが挿入されたことが検知されると（３１０１）、カードは搬送機構により吸入され（３１０３）、読取り記録部に搬送され、カードの記録情報が読み取られる（３１０４）。一方、取消キーが操作されたことが検知されると（３１０２）、取引を取消して終了する。
【００４２】
図２８は、図２６の一枚カード照会処理における、一枚カードの内容確認処理（ステップ３００３）の詳細な処理を示すフローチャートである。
この場合、ＡＴＭの表示部２０４には一枚カード内容確認画面（図１０）が表示され（３２００）、一枚カードの受付情報が表示される（３２０１）。この状態で、利用者の内容確認を待つ。統合カード内容からあるカードを削除する場合はそのカード情報部分１００４が操作されるが、その操作が検知されると（３２０３）、その指定されたカード情報の削除指定は削除でない場合（３２０５）、そのカード情報の削除指定を削除とし削除表示する（３２０７）。そのカード情報の削除指定が削除の場合（３２０５）、削除指定を削除しないとし、◎を表示し（３２０８）、利用者の指定を行う。次データキー１００３が操作されたことが検知されると（３２０４）、次データを表示するステップ（３２０１）へ移行する。取消キーの操作を検知すると（３２０６）、取引を取消す。最後に利用者の確認が終了した場合、確認キーが操作されたことが検知されると（３２０２）、利用者の各カード情報の指定を記憶部２０９に記憶し（３２０９）、処理を終了する。
【００４３】
図２９は、図２６の一枚カード照会処理における、一枚カード登録削除処理（ステップ３００５）の詳細な処理を示すフローチャートである。
利用者によるカードの削除指定が有るカード情報と判断した場合（３３０１）、そのカード情報を削除し、上位装置３０１に通知する（３３０２）。上位装置３０１は削除の対象となるカードの発行元に削除の旨の通知を処理し（３３０５）、ＡＴＭ２０１へ処理した旨を回答する。一枚カードに記憶されているカード情報全て処理したと判断（３３０３）した場合、処理を終了する。
以上で一枚カード内容照会及びカード情報削除することが出来る。
【００４４】
図３０は、種種無効カードの記憶印字処理を示すフローチャートである。
この処理は、ＡＴＭ２０１を扱う係員等が種種カードを一枚カードにした場合、又は追加登録で一枚カードに種種カードの内容を追加登録した場合、種種カードを無効とした結果の情報を後日、係員等が印字し事務処理する場合の種種無効カードの記憶印字処理動作を説明するものである。
係員等の指示を待って（４０００）、指示有りの場合、記憶部２０９に記憶している種種無効カード記録情報を印字編集し（４００１）、明細票に印字する（４００２）。その印字した明細票を係員に受け取り（４００３）させることで無効カード記録情報を得ることが出きる。
【００４５】
以上の説明した様に、ＡＴＭで種種カードを受付け、一枚に統合できるカードかを判断し、その結果に基づいて種種カードの内容を統合した一枚のカードが作成できる。また、無効にしたカードの発行元への無効の旨、及び統合した一枚カード発行通知を自動的に行うことができる。また、利用者の選択により対象のカードを一枚カードへの統合から削除することもできる。また、既存の一枚のカードへの種種カードの内容を追加して登録することで統合化が行える。
【００４６】
本発明は上記実施例に限定されず、種種変形して実施し得る。例えば、上記実施例では、ＡＴＭに取引カードの統合機能を設けたが、ＡＴＭに限らず、金融機関のカード扱う他の装置であっても良いし、カード統合機能を持つ専用の装置であっても良い。
【００４７】
付記：
(1)利用者のカードを用いて金融に関する取引を自動的に行うことができる自動取引装置において、当該装置で受付可能な異なる複数種類のカードに関する情報を予め登録しておく登録手段と、利用者より装置に挿入されたカードが受付可能か否かを該登録手段を参照して判定する手段と、受付けられた複数のカードから一枚のカードに統合すべき対象のカードを利用者に選択させるための選択手段と、一枚のカードに統合されたカードの機能を無効化するための無効化手段と、統合された新たなカードを排出する手段とを有するカード取扱装置。
【００４８】
(2),(1)の装置において、前記判定手段による判定の結果、一枚のカードに統合できないと判定されたカードを利用者に返却する返却手段を設けることを特徴とするカード取扱装置。
【００４９】
(3),(1)の装置において、前記無効化手段によって無効化するカードを回収又は返却するかを利用者に選択させる為の選択手段と、回収するカードを収納する収納手段とを設けることを特徴とするカード取扱装置。
【００５０】
(4),(3)の装置において、前記選択手段によって選択され得る返却すべきカードは、カード毎に指定されることことを特徴とするカード取扱装置。
【００５１】
(5),(1)又は(3)の装置において、更に、該無効化手段により無効化されたカードの発行元に該カードが無効処理された旨の情報を送信する手段を有することを特徴とするカード取扱装置。
【００５２】
(6)利用者のカードを用いて金融に関する取引を自動的に行うことができるカード取引装置において、当該装置で受付可能な異なる複数種類のカードに関する情報を予め登録しておく登録手段と、利用者より装置に挿入されるカードが受付可能か否かを該登録手段を参照して判定する手段と、受付けられた複数のカードから一枚のカードに統合すべき対象のカードを利用者に選択させるための第1の選択手段と、新規に発行すべきカードを収納する収納手段と、該第１の選択手段により選択された複数のカードの機能を一枚のカードに統合するに際して、該収納手段に収納された新規のカードに複数のカードの機能を統合するか、又は利用者が所持する既存のカードに、複数のカードの機能を統合するかを利用者に選択させるための第２の選択手段と、該第２の選択手段により選択されたカードに対して選択された複数のカードの機能を統合する統合処理手段と、統合処理されたカードを排出する手段とを有することを特徴とするカード取扱装置。
【００５３】
(7),(1)又は(6)の装置において、更に、一枚のカードに統合された複数のカードの内容を利用者に確認させる確認手段を設けることを特徴とするカード取扱装置。
【００５４】
(8),(1)又は(3)の装置において、該無効化手段により無効にした複数のカードの情報を記憶する記憶手段と、該記憶手段に記憶した無効化カードの情報を明細票に出力する旨の指定を行う手段とを有し、明細票に情報を出力した後、該記憶手段から無効化カード情報の記憶を消去することを特徴とするカード取扱装置。
【００５５】
(9),(6)の装置において、該第２の選択手段は、利用者が所持する既存のカードに、複数のカードの機能を統合することが選択された場合、利用者により既存の一枚のカードを選択する手段を備えることを特徴とするカード取扱装置。
【００５６】
(10),(1)の装置において、更に、複数のカードの機能が統合された一枚のカードに対して、該カードに登録されているカード情報を利用者の選択によりカード単位に削除又は無効にする手段と、削除又は無効にされたカード情報に対応する、カードの発行元へ削除又は無効の通知する手段とを有することを特徴とするカード取扱装置。
【００５７】
【発明の効果】
本発明によれば、いろいろな発行元から発行されたカードを一枚のカードに集約して発行できる。一枚のカードへの統合処理においては、利用者が一枚カードの内容を容易に確認でき、利用者の選択により希望のカードを作成することができる。また、原カードの発行元に対して当該カードの無効／発行通知が自動的に行える為、種種カード発行元である銀行へ出向く必要がなく利用者の利便性が向上する。
【図面の簡単な説明】
【図１】本発明の一実施例によるＡＴＭにおける複数種カードの統合処理の概念を示す図。
【図２】ＡＴＭの構成を示すブロック図。
【図３】上位装置の構成を示すブロック図。
【図４】ＡＴＭの表示部２０４における取引画面を示す図。
【図５】ＡＴＭにおける取引画面のうち、種種カードの受付け画面を示す図。
【図６】ＡＴＭにおける取引画面のうち、種種カード受付け確認画面を示す図。
【図７】取引表示画面における旧カードの処置選択画面を示す図。
【図８】取引表示画面における旧カード一部返却確認画面を示す図。
【図９】取引表示画面におけるカード発行選択画面Ａ〜Ｅを示す図。
【図１０】取引表示画面における一枚カード内容確認画面を示す図。
【図１１】
一枚カード作成における明細票の印字例を示す図。
【図１２】
カードの統合が可能な種種カードの対象を示す記憶部の登録テーブルのフォーマ
ットを示す図。
【図１３】
カードを無効にする旨の通知電文のフォーマットを示す図。
【図１４】
無効にしたカードの明細票の印字例を示す図。
【図１５】
一枚カード作成処理のフローチャートを示す図。
【図１６】
取引選択処理の詳細なフローチャートを示す図。
【図１７】
種種カード受付け処理の詳細なフローチャートを示す図。
【図１８】
種種受付けカードの確認処理の詳細なフローチャートを示す図。
【図１９】
旧カード処置選択処理フローチャートを示す図。
【図２０】
カード発行選択処理処理フローチャートを示す図。
【図２１】
新規作成／追加登録処理フローチャートを示す図。
【図２２】
追加登録カード作成処理フローチャートを示す図。
【図２３】
無効発行通知処理フローチャートを示す図。
【図２４】
カード回収／返却処理フローチャートを示す図。
【図２５】新規カード受取り処理フローチャートを示す図。
【図２６】一枚カード照会処理フローチャートを示す図。
【図２７】一枚カード受付処理フローチャートを示す図。
【図２８】一枚カード内容確認処理フローチャートを示す図。
【図２９】一枚カード登録削除処理フローチャートを示す図。
【図３０】種種無効カード記憶印字処理フローチャートを示す図。
【符号の説明】
１００、２０１：ＡＴＭ            １０１〜１０５：種種カード
１０６、１０７：一枚カード        ２０２：制御部
２０３：操作入力部                ２０４：表示部
２０５：明細票印字部              ２０６：媒体入力部
２０７：接続部                    ２０８：媒体収納部
２０９：記憶部                    ２１０：回線
３０１：上位装置                  ３０２：制御部
３０３：通信制御部                ３０４：記憶部
３０５：他上位通信制御
４００：取引選択画面              ４０１、４０４：他取引キー
４０２：一枚カード作成キー        ４０３：カード内容照会キー
【図１】
2004206248.tif 000003
【図２】
2004206248.tif 000004
【図３】
2004206248.tif 000005
【図４】
2004206248.tif 000006
【図５】
2004206248.tif 000007
【図６】
2004206248.tif 000008
【図７】
2004206248.tif 000009
【図８】
2004206248.tif 000010
【図９】
2004206248.tif 000011
【図１０】
2004206248.tif 000012
【図１１】
2004206248.tif 000013
【図１２】
2004206248.tif 000014
【図１３】
2004206248.tif 000015
【図１４】
2004206248.tif 000016
【図１５】
2004206248.tif 000017
【図１６】
2004206248.tif 000018
【図１７】
2004206248.tif 000019
【図１８】
2004206248.tif 000020
【図１９】
2004206248.tif 000021
【図２０】
2004206248.tif 000022
【図２１】
2004206248.tif 000023
【図２２】
2004206248.tif 000024
【図２３】
2004206248.tif 000025
【図２４】
2004206248.tif 000026
【図２５】
2004206248.tif 000027
【図２６】
2004206248.tif 000028
【図２７】
2004206248.tif 000029
【図２８】
2004206248.tif 000030
【図２９】
2004206248.tif 000031
【図３０】
2004206248.tif 000032